(57)【要約】【課題】連続記録により記録装置が動作限界温度に到達して記録を停止しなければならないデータサイズの記録において、効率的に記録することができる記録装置を提供する。【解決手段】連続記録において所定温度から動作限界温度到達までに要した時間と、記録停止において動作限界温度から所定温度へ下降するまでの時間と、記録開始動作からデータを記録するまでの記録準備時間を考慮し、実際に記録メディアへ記録している時間の割合が最大になるように記録停止後の記録再開温度を決定する。【選択図】  図１
2008305474.tif 000002
【特許請求の範囲】
【請求項１】
ディスクメディアにデータの記録と再生が可能な記録再生装置であって、
前記ディスクメディアにデータを記録再生するピックアップ部と、
前記ピックアップ部の温度情報を検出する温度検出手段と、
前記ピックアップ部を介して前記ディスク媒体へのデータ記録開始と記録停止を制御する記録制御手段と、
を備え、
前記記録制御手段は、前記温度検出手段が前記ディスク媒体への記録開始時の前記ピックアップ部の温度から動作限界温度を測定した連続記録可能時間と記録動作停止後の温度下降を測定して所定の温度に下降するまでの停止時間を測定し、当該連続記録可能時間と停止時間に基づいて前記ディスクメディアへの記録動作を制御することを特徴とする記録再生装置。
【請求項２】
記録開始時の温度をＴｍ、動作限界温度をＴｍａｘとし、連続記録時のＴｍからＴｍａｘ到達までの時間をｔｗ、記録動作を開始してディスクメディアへデータを書き込むまでの準備時間をｔｉ、記録動作停止後ＴｍａｘからＴｍに下降するまでの時間をｔｍ、記録時間比をＷｍとしたときに、Ｗｍ＝（ｔｗ−ｔｉ）／（ｔｗ＋ｔｍ）で表現されることを特徴とする請求項１に記載の記録再生装置。
【発明の詳細な説明】
【技術分野】
【０００１】
本発明は、追記型記録ディスクやデータの書き換えが可能な書換型記録ディスク等へデータを記録する記録装置に関する。
【背景技術】
【０００２】
従来、ＤＶＤ−ＲやＤＶＤ−ＲＷといったディスク形状の記録メディアに映像データや情報データを記録することが一般的になっている。そして、このディスク形状の記録メディアに記録を行う記録装置は、ＰＣ（パーソナルコンピュータ）のディスクドライブとして用いられているだけでなく、ＤＶＤムービーといった小型の携帯機器にも用いられている。
【０００３】
そして、ＤＶＤムービーで撮影された映像データは、ＰＣ上で編集して再びディスク上に書き戻される。そのとき書き戻す映像データのサイズによっては非常に時間がかかるという問題がある。
【０００４】
また、ＤＶＤムービーで映像を記録する場合、編集処理を容易に行うことできるビデオレコーディングフォーマットで記録されるが、市販のＤＶＤプレーヤーで再生するためにはファイナライズ処理を行いビデオフォーマットに変更することが必要になる。そのファイナライズ処理をＤＶＤ−ＲやＤＶＤ−ＲＷなどのディスクに施す場合、所定の領域までデータを記録する必要があり、少ない領域までしか映像データを記録していない場合、残りの領域に所定のデータを記録するためファイナライズ処理に時間がかかる。
【０００５】
さらに、ＰＣ上で編集した映像データの書き戻しやファイナライズ処理を高速化するために記録メディアに連続的にデータを書き込む場合、レーザー部分が加熱し動作限界温度を超えるとディスクに書き込むレザーパワーが不足するため、安定したデータの書き込みが行えない。特に、有色素系の記録媒体であるＤＶＤ−Ｒではより大きなレザーパワーが必要になる。
【０００６】
そこで、連続的な記録動作によるレーザー部分の温度上昇を避けるために、記録装置内に温度センサーを設け、装置内の温度が所定の範囲を超えると記録と記録停止を繰り返す間欠記録に切替える方法が提案されている。（例えば、特許文献１参照）
【特許文献１】特開２００３−２８１７３３号公報
【発明の開示】
【発明が解決しようとする課題】
【０００７】
しかしながら、従来技術では記録装置が高温になった場合、特に記録装置の動作限界温度付近での高速記録が考慮されていなかった。
【０００８】
例えば、従来技術では記録装置が動作限界温度より低い所定温度に達した時点で間欠記録を開始するため、所定温度以上における記録装置の温度上昇を抑えることができるが、記録速度を低下させることになる。この記録速度の低下は、記録期間と記録停止期間の比を５０：５０とすると、最大記録速度の半分しか出ないことになる。また、周辺温度を考慮するため間欠記録開始後、記録装置の温度が上がれば記録停止期間の割合を大きく、記録装置の温度が下がれば記録期間の割合を大きくなるように変更していくが、記録期間の割合を最大にする記録期間と記録停止期間を決定することができない問題がある。
【０００９】
本発明は前記従来の課題を解決するもので、安定した記録を行える動作限界温度まで連続記録を行い、動作限界温度到達後は記録と記録停止サイクルにおいて記録期間の割合が最大になる記録装置を提供することを目的とするものである。
【課題を解決するための手段】
【００１０】
前記課題を解決するために、本発明の記録装置は、ディスクメディアにデータの記録と再生が可能な記録再生装置であって、前記ディスクメディアにデータを記録再生するピックアップ部と、前記ピックアップ部の温度情報を検出する温度検出手段と、前記ピックアップ部を介して前記ディスク媒体へのデータ記録開始と記録停止を制御する記録制御手段と、を備え、前記記録制御手段は、前記温度検出手段が前記ディスク媒体への記録開始時の前記ピックアップ部の温度から動作限界温度を測定した連続記録可能時間と記録動作停止後の温度下降を測定して所定の温度に下降するまでの停止時間を測定し、当該連続記録可能時間と停止時間に基づいて前記ディスクメディアへの記録動作を制御することを特徴とするものである。
【００１１】
さらに、本発明の記録装置は、記録開始時の温度をＴｍ、動作限界温度をＴｍａｘとし、連続記録時のＴｍからＴｍａｘ到達までの時間をｔｗ、記録動作を開始してディスクメディアへデータを書き込むまでの準備時間をｔｉ、記録動作停止後ＴｍａｘからＴｍに下降するまでの時間をｔｍ、記録時間比をＷｍとしたときに、Ｗｍ＝（ｔｗ−ｔｉ）／（ｔｗ＋ｔｍ）で表現されることを特徴とするものである。
【発明の効果】
【００１２】
本発明の記録装置によれば、記録装置の動作限界温度まで連続記録を行い、動作限界温度到達後は温度低下待ちの記録停止を行う。そして、一定温度まで低下すると連続記録を再開するが、このとき動作限界温度到達後の記録と記録停止のサイクルにおいて記録期間の割合が最大となるように記録を再開する温度を決定する。
【００１３】
これにより、連続記録で動作限界温度に到達するデータサイズの記録においても、失敗することなく高速で書き込むことができる。また、記録を開始してから動作限界温度に到達するまでの記録時間を用いて、記録期間が最大になるように予測しているため、記録装置の周辺環境が変わった場合においても高速で書き込むことができる。
【発明を実施するための最良の形態】
【００１４】
以下、本発明の記録装置の実施の形態を図面とともに詳細に説明する。
【００１５】
（実施の形態１）
図１はディスクメディアを記録媒体に用いたカメラ一体型記録再生装置を示すもので、カメラ部１、ＣＯＤＥＣ部２、ドライブ部３から構成されている。
【００１６】
カメラ部１は、マイク４、オーディオ入力処理回路５、レンズユニット６、撮像センサー（ＣＣＤ）７、カメラ信号処理回路８、カメラ部マイコン９から構成される。
【００１７】
また、ＣＯＤＥＣ部２は、映像音声の圧縮／伸張回路１０、オーディオ出力回路１１、スピーカー１２、映像出力回路１３、映像表示手段（ＬＣＤ）１４、ＣＯＤＥＣ部マイコン１５、メモリ（ＳＤＲＡＭ）１６、メモリ（ＦＬＡＳＨ）１７、ＰＣと接続するＵＳＢ  Ｉ／Ｆ回路１８、操作ＳＷ１９から構成される。
【００１８】
また、ドライブ部３は、ＡＴＡＰＩ  Ｉ／Ｆ回路２０、記録／再生回路２１、ドライブ部マイコン２２、メモリ（ＳＤＲＡＭ）２３、メモリ（ＦＬＡＳＨ）２４、温度センサー２５、メディアのリード・ライトアクセスを行うピックアップ２６、スピンドルモータ２７、ピックアップ２６をディスクメディア上で移動させる送りモータ２８、スピンドルモータ２７と送りモータ２８とピックアップ２６内のフォーカス方向およびトラッキング方向のアクチュエータをそれぞれ駆動するアクチュエータドライバ２９、ディスクメディア３０から構成される。
【００１９】
また、ＰＣ３１はＵＳＢ  Ｉ／Ｆ回路１８を経由して映像音声データの送受信を行う。
【００２０】
ここで、まずカメラ部１の動作を説明する。映像情報は、レンズユニット６を介して、撮像センサー（ＣＣＤ）７で電気信号に変換され、カメラ信号処理回路８にて映像信号に変換される。一方、音声はマイク４を介して、オーディオ入力回路５にて音声信号に変換される。
【００２１】
次に、ＣＯＤＥＣ部２の動作を説明する。上記の映像音声信号は、メモリ（ＳＤＲＡＭ）１６に一旦記録し、圧縮／伸張回路１０でデジタル映像音声圧縮信号に変換された後、再びメモリ（ＳＤＲＡＭ）１６に記録する。圧縮方式としては動画を扱うＭＰＥＧ方式や静止画を扱うＪＰＥＧ方式などを実施する。また、メモリ（ＦＬＡＳＨ）１６は、ＣＯＤＥＣ部マイコン１５を動作するプログラムなどを格納する。
【００２２】
出力段としては、前記圧縮／伸張回路１０から音声信号はオーディオ出力回路１１を介してスピーカー１２に出力され、映像信号は映像出力回路１３を介して映像表示手段（ＬＣＤ）１４に表示される。出力信号においては、必ずしも映像／音声信号の圧縮／伸張処理を施す必要はない。
【００２３】
次に、ドライブ部３の動作を説明する。まず、ＡＴＡＰＩ  Ｉ／Ｆ回路２０でＣＯＤＥＣ部マイコン１５とデータの送受信を行う。ディスクに記録するときは受信したデータをメモリ（ＳＤＲＡＭ）２３に一旦記録する。そして、メモリ（ＳＤＲＡＭ）２３に記録されたデータは、ドライブ部マイコン２２で記録フォーマットに変換され、記録／再生回路２１とピックアップ２６を介してディスクメディア３０に記録される。
【００２４】
また、このディスクメディア３０とピックアップ２６の相対位置は、ドライブ部マイコン２２がディスクメディア３０に書き込まれている位置情報を記録／再生回路２１を介して検出し、アクチュエータドライバ２９を介して各アクチュエータであるスピンドルモータ２７と送りモータ２８とピックアップ２６内にあるフォーカス及びトラッキング制御を行うアクチュエータを駆動する。
【００２５】
一方、ディスクを再生するときは、ドライブ部マイコン２２がディスクメディア３０に書き込まれている位置情報からアクチュエータドライバ２９を介し各アクチュエータを制御し、ピックアップ２６と記録／再生回路２１を経由して、メモリ（ＳＤＲＡＭ）２３に一旦記録する。そして、ＡＴＡＰＩ  Ｉ／Ｆ回路２０を経由してＣＯＤＥＣ部マイコン１５にデータが送信される。
【００２６】
ここでは、ＣＯＤＥＣ部２とドライブ部３のデータ送受信にＡＴＡＰＩインターフェイスを用いているが、他のインターフェイスを用いてもよい。
【００２７】
また、ディスクメディア３０は一回のみ追記可能なＤＶＤ−Ｒや書き換え可能なＤＶＤ−ＲＷ、ＤＶＤ−ＲＡＭ、Ｂｌｕ−Ｌａｙディスクなどがある。
【００２８】
次に、ＰＣ３１とのデータ送受信についてＤＶＤ−ＲＡＭやＤＶＤ−ＲＷに記録された映像データをＰＣ３１で編集して書き戻す場合について説明する。まず、ＵＳＢケーブルを用いてＰＣ３１と接続を行う。そして、ＰＣ３１のアプリケーションソフトからＵＳＢ  Ｉ／Ｆ回路１８を介して、ＣＯＤＥＣ部マイコン１５にデータ読み込みの要求を行う。ＣＯＤＥＣ部マイコン１５はＡＴＡＰＩ  Ｉ／Ｆ回路２０を介してディスクメディア３０に記録されているデータを読み出し、ＵＳＢ  Ｉ／Ｆ回路１８を介してＰＣ３１にデータを送信する。そして、ＰＣ３１で編集する。
【００２９】
書き戻す場合は、同様にＵＳＢ  Ｉ／Ｆ回路１８を介して、ＣＯＤＥＣ部マイコン１５にデータ書き込みの要求を行い、データを送信する。そして、ＣＯＤＥＣ部マイコン１５はＡＴＡＰＩ  Ｉ／Ｆ回路２０を介してディスクメディア３０に記録する。このＵＳＢ  Ｉ／Ｆ回路１８を介してＣＯＤＥＣ部マイコン１５とＰＣ３１間で行うデータ送受信は、例えばＵＳＢのＭａｓｓＳｔｏｒａｇｅ規格を用いればよい。また、ディスク３０に記録されている映像音声データを編集し書き戻すだけでなく、ＰＣ３１に記録されている他の映像音声データを編集し、ＤＶＤ−Ｒに記録してもよい。
【００３０】
次に、本発明の特徴であるディスクメディア３０への連続記録により、ドライブ部３、特にピックアップ２６が動作限界温度に到達するデータサイズを記録する制御手順について図２〜５を用いて説明する。
【００３１】
ピックアップ２６に内蔵されるレーザーダイオードの発光波長には温度依存があり、一般的にレーザーダイオードの温度上昇により発光波長が長くなる特性を有する。また、有色素系の記録媒体で作られるＤＶＤ−Ｒディスクは、波長依存性のある光ディスクであり、前記レーザーダイオードの発光波長が長くなると吸収率が低下する傾向にある。このため、有色素系の記録媒体で作られるＤＶＤ−Ｒディスクへの記録では、レーザーダイオードの温度上昇に応じて発光パワーを上げるため、より大きなパワー値を供給する必要がある。
【００３２】
しかし、供給するパワーには限界があり、高温で充分な記録パワーを供給できないという問題が生じる。そのため、安定した書き込みを行うためには動作限界温度を設け、動作限界温度に到達したとき記録を停止する必要がある。この問題は、ＤＶＤ−Ｒ以外のディスクメディアにおいても同様である。
【００３３】
ここでは、撮影した映像音声データをＰＣ３１で編集し、ディスクメディア３０に記録する場合について説明する。まず、ユーザがＰＣ３１で編集を完了すると、ＰＣ３１のアプリケーションソフトを用いて、編集した映像音声データをディスクメディア３０に記録するように指示する。ＰＣ３１は、ディスクメディア３０に記録するデータをＵＳＢ  Ｉ／Ｆ回路１８を介して連続的にＣＯＤＥＣ部マイコン１５に送信する。
【００３４】
そして、ＣＯＤＥＣ部マイコン１５からＡＴＡＰＩ  Ｉ／Ｆ回路２０を介してドライブ部マイコン２２にデータが送信され、メモリ（ＳＤＲＡＭ）２３のバッファに一旦書き込まれる。そして、ドライブ部マイコン２２はメモリ（ＳＤＲＡＭ）２３のバッファに書き込まれたデータを記録／再生回路２１とピックアップ２６を介してディスク３０に記録する。
【００３５】
また、ピックアップ２６からディスクメディア３０への書き込み速度は、ＰＣ３１からＣＯＤＥＣ部マイコン１５を介してＡＴＡＰＩ  Ｉ／Ｆ回路２０に送られてくるデータの転送速度より遅い。即ち、ディスクメディア３０に記録する映像音声データをメモリ（ＳＤＲＡＭ）２３のバッファから読み出す速度より、ＡＴＡＰＩ  Ｉ／Ｆ回路２０に送られてくる映像音声データをメモリ（ＳＤＲＡＭ）２３のバッファに書き込む速度の方が速い。
【００３６】
そのため、ＰＣ３１からディスクメディア３０に記録する映像音声データがメモリ（ＳＤＲＡＭ）２３のバッファから送信されている間は、ドライブ部マイコン２２は、当該映像音声データを常にディスクメディア３０に記録することができる。
【００３７】
このとき、メモリ（ＳＤＲＡＭ）２３でＣＯＤＥＣ部マイコン１５から送られてくるデータを格納するバッファが一杯になった場合は、ＡＴＡＰＩ  Ｉ／Ｆ回路２０でＣＯＤＥＣ部マイコン１５から送られてくるデータの受信を一時中断し、ＣＯＤＥＣ部マイコン１５はＵＳＢ  Ｉ／Ｆ回路１８でＰＣ３１から送れてくるデータの受信を一時中断する。
【００３８】
図２はドライブ部マイコン２２の制御手順を示している。また、図３は前記制御手順における装置内の温度と時間の関係を示す。撮影した映像音声データをＰＣ３１で編集する場合、ドライブ部マイコン２２はメモリ（ＳＤＲＡＭ）２３にデータが蓄積されると、ディスクメディア３０にデータの記録を開始する。記録を開始するとピックアップ２６に近い場所に配置された温度センサー２６により装置内の温度を検出し、一定時間経過毎または一定温度の上昇下降毎にドライブ部マイコン２２に通知する。
【００３９】
そして、ドライブ部マイコン２２は、Ｓ１０１にて装置内の温度情報を取得し、装置内の温度がＴｎからＴｎ＋１上昇するまでにディスクメディアに記録を行った時間３２を算出する。また、ディスクメディア３０に記録するデータ量は、ディスクの回転速度が同一であれば記録を行った時間に比例する。
【００４０】
また、連続記録による装置内の温度上昇は、図４の連続記録時の温度上昇変化３５に示すとおり、連続記録を行った時間に対して指数関数的に上昇する。つまり、記録を開始すると装置内の温度は周辺温度から急激に上昇し、高温になるにつれて上昇率が低くなり飽和温度に向かう。しかし、実際は飽和温度に到達する前に動作保障温度に到達するため連続記録を停止する。また、この連続記録による温度上昇変化は周辺の温度や環境によって異なってくる。
【００４１】
そして、Ｓ１０１で装置内の温度情報を取得すると、Ｓ１０２にて装置内の温度が動作限界温度Ｔｍａｘに到達しているかどうか判別し、到達していない場合はＳ１０１を繰り返す。Ｔｍａｘに到達している場合は、Ｓ１０３にて連続記録を停止し、装置の温度低下待ちを行う。
【００４２】
また、記録停止による温度低下待ちにおいては、連続記録による装置内の温度上昇とは逆に、図４の記録停止時の温度下降変化３６に示すとおり、記録を停止している時間に対して指数関数的に下降し、周辺温度に近づいていく。しかし、温度が低下するにつれて下降率が下がるので周辺温度と同じになるまでには、動作限界温度到達に要した時間よりも数倍の時間が必要になる。
【００４３】
次に、記録を停止すると、Ｓ１０４にて再び装置内の温度情報を取得し、装置内の温度がＴｍａｘからＴｍまで下降するのに要した時間３３を算出する。そして、Ｓ１０５にて装置内の温度Ｔｍから記録を再開したと仮定して、ＴｍからＴｍａｘに到達するまでにディスクメディアに記録可能な時間を予測する。
【００４４】
ここで予測するＴｍからＴｍａｘに到達するまでのディスクメディアへの記録可能な時間は、最初の連続記録におけるＴｍａｘに到達するまでの過程で、ＴｍからＴｍａｘ到達までに要した時間３４を用いる。これは、  Ｓ１０１で記録した装置内の温度がＴｎからＴｎ＋１上昇するまでにディスクメディアに記録を行った時間３２をＴｍからＴｍａｘまで加算することにより求めることができる。
【００４５】
また、記録動作を開始してからピックアップ２６がディスクメディア３０にデータを書き込むまでには、図５に示すように、各アクチュエータが動き出し記録位置を決定するための準備時間であるＷｒｉｔｅ  Ｉｄｌｅ時間３７が必要になる。ここでＷｒｉｔｅ時間３８は記録装置が実際にディスクメディアに記録している時間、Ｗｒｉｔｅ停止時間３９は記録装置が記録動作を行わずピックアップを退避している時間である。このＷｒｉｔｅ  Ｉｄｌｅ時間３７の間は、ディスクメディアにデータの記録を行っていないが、各アクチュエータを動作させレーザーダイオードの発光を開始するためレーザーダイオードと周辺の温度は上昇することになる。
【００４６】
よって予測するＴｍからＴｍａｘ到達までに記録可能な時間、つまりＷｒｉｔｅ時間３８を予測する場合、最初の連続記録におけるＴｍａｘに到達するまでの過程で、ＴｍからＴｍａｘ到達までに要した時間３４から、このＷｒｉｔｅ  Ｉｄｌｅ時間３７を除いた時間が、Ｔｍから記録を再開した場合におけるＴｍａｘ到達までにディスクメディアに記録可能な時間となる。このＷｒｉｔｅ  Ｉｄｌｅ時間３７は図５には図示していないが、記録を開始する場合だけではなく、記録を停止する場合にも発生する。また、このＷｒｉｔｅ  Ｉｄｌｅ時間３７は装置固有の値であり、装置の状態や周辺環境によって異なっても問題ない。
【００４７】
そして、Ｓ１０６で記録と記録停止の１サイクル中におけるディスクメディアにデータを記録するＷｒｉｔｅ時間の割合を求める。Ｗｒｉｔｅ時間比Ｗｍは、Ｗｒｉｔｅ  Ｉｄｌｅ時間をｔｉ、最初の連続記録においてＴｍからＴｍａｘ到達までに要した時間３４をｔｗ、ＴｍａｘからＴｍまで下降するのに要した時間３３をｔｍとすると、Ｗｍ＝（ｔｗ−ｔｉ）／（ｔｗ ＋ｔｍ）とすることができる。
【００４８】
同様に、Ｔｍまで低下後、さらに装置内の温度がＴｍａｘからＴｍ＋１まで下降して、Ｔｍ＋１からＴｍａｘに到達するまで記録を行ったときのＷｒｉｔｅ時間比Ｗｍ＋１を求め、Ｓ１０７にてＷｍとＷｍ＋１を比較し、Ｗｍ  ≧  Ｗｍ＋１となる温度Ｔｍを検出する。このＴｍで記録を再開した場合が、記録と記録停止の１サイクル中で実際にディスクメディアに記録を行っている時間比の最大となる。
【００４９】
Ｗｒｉｔｅ時間比は単位時間あたりに上昇した温度と低下した温度に依存するので、記録中は装置内の温度が指数関数的に上昇し、記録停止したときは指数関数的に下降していくことを考えると、動作限界温度到達後の記録停止時間を短くすれば効率的になる。
しかし、実際はＷｒｉｔｅ  Ｉｄｌｅ時間３７が存在するので、記録停止時間を短くしても図６に示すように記録と記録停止の１サイクル中のＷｒｉｔｅ時間比は大きくならない。
【００５０】
また、記録停止時間を長くした場合は、温度下降の効率が低下し、記録停止時間に比べてディスクへ実際に記録できる時間は増加しないので、図７に示すように記録と記録停止の１サイクル中のＷｒｉｔｅ時間比は大きくならない。この記録停止時間と、記録と記録停止の１サイクル中のＷｒｉｔｅ時間比は、一般的に図８に示すような関係になり、Ｓ１０４からＳ１０７では記録と記録停止の１サイクルにおいてＷｒｉｔｅ時間の割合が増加から減少に変化する温度、つまりＷｒｉｔｅ時間の割合が最大となる記録再開温度を求めている。
【００５１】
そして、記録再開温度を求めると記録を再開し、次回の動作限界温度到達後の温度低下待ちにおいてはその記録再開温度まで低下すると記録を再開し、以降はディスクメディア３０に記録するデータがなくなるまでこれを繰り返す。
【００５２】
また、上記の実施例では、最初の連続記録から動作限界温度到達までの過程における記録時間を用いてＷｒｉｔｅ時間の割合が最大となる記録再開温度を求めているが、記録を再開するたびに動作限界温度到達までの過程における記録可能時間を計測し、Ｗｒｉｔｅ時間の割合が増加から減少に変わる温度で記録を再開してもよい。
【００５３】
（実施の形態２）
次に、本発明における実施例２の手順について図９を用いて説明する。実施例２における装置の構成は、実施の形態１と同じである。
【００５４】
まず、連続記録を開始し動作限界温度に到達するまでは、実施の形態１におけるＳ１０１からＳ１０３と同じである。Ｓ１０３で動作限界温度に到達して記録を停止すると、Ｓ１０８にて残りデータサイズを算出する。データサイズは、ＰＣ３１で編集したデータをディスクメディア３０に記録する場合、あらかじめＰＣ３１にてデータサイズが判明しているので、記録開始時にＵＳＢ  Ｉ／Ｆ回路１８を介してＣＯＤＥＣマイコン１５に通知し、ＣＯＤＥＣ部マイコン１５はＡＴＡＰＩ  Ｉ／Ｆ回路２０を介してドライブ部マイコン２２に通知する。
【００５５】
そして、実施の形態１と同様Ｓ１０４とＳ１０５を実行し、Ｓ１０９にて予測したＷｒｉｔｅ時間３８で残りデータが記録できるか判定する。これはＷｒｉｔｅ時間３８と記録速度から判定できる。そして、予測したＷｒｉｔｅ時間３８で残りデータが記録できる場合、記録を再開する。できない場合は、再度Ｓ１０４とＳ１０５を実行し、予測したＷｒｉｔｅ時間３８で残りデータが記録できる温度まで温度低下を待つ。
【００５６】
これにより、残りデータが少ない場合は不要な温度低下待ちを行うことなく、残りデータが記録できる最小限の温度低下待ちで記録を再開することができ、効率的な記録を行うことができる。
【００５７】
また、残りデータが多く、記録できるだけの温度まで温度低下待ちを行うと温度下降効率が落ちて記録停止時間が長くなる場合は、図１０に示すように、Ｓ１０９で予測したＷｒｉｔｅ時間３８で残りデータが記録できないと判定すると、実施の形態１におけるＳ１０６とＳ１０７を実行し、記録と記録停止の１サイクル中でＷｒｉｔｅ時間比が最大となる温度に到達しているときは記録を再開する。これにより、温度下降効率が落ちる前に記録を再開することができる。
【００５８】
実施の形態１及び２では、カメラ一体型記録装置で撮影したデータをＰＣで編集し、ディスクに書き戻す場合について説明したが、他の装置においても適用できる。例えば、ディスク記録再生装置を備えたＨＤＤレコーダーにおいて、チューナーを介してＨＤＤに記録された映像音声データをＤＶＤ−Ｒなどのディスクメディアにバックアップする場合にも、図２、９及び１０に示した手順を適用することができる。
【００５９】
また、ファイナライズ処理において、記録された領域が少なく所定の範囲までデータを書き込む必要がある場合にも図２、９及び１０に示した手順を適用することができる。
【産業上の利用可能性】
【００６０】
記録装置が動作限界温度付近で連続記録を行ったとき、温度上昇率は小さく、単位温度上昇における記録可能時間は長くなる。また、記録装置が動作限界温度付近で記録を停止したとき、温度下降率は大きく、単位温度下降に要する時間は短くなる。本発明にかかる記録装置は、これを利用して記録装置が動作限界温度に到達して記録を停止しなければならないデータサイズの記録において効率的に記録できる効果があり、ＤＶＤムービーなどの携帯型及び小型の冷却装置を保有することができない機器に有用である。
【００６１】
また、記録装置が動作限界温度に到達し記録を停止すると、残り記録データ量に応じて記録を再開するため、不要な温度低下待ち時間を省くことができる。
【図面の簡単な説明】
【００６２】
【図１】本発明の実施の形態１における記録装置の基本構成図
【図２】本発明の実施の形態１における記録装置の処理手順を示したフローチャート
【図３】記録装置内の時間と温度変化の関係図（１）
【図４】記録装置内の時間と温度変化の関係図（２）
【図５】記録装置の記録と記録停止サイクル図（１）
【図６】記録装置の記録と記録停止サイクル図（２）
【図７】記録装置の記録と記録停止サイクル図（３）
【図８】Ｗｒｉｔｅ停止時間と、記録と記録停止サイクルにおけるＷｒｉｔｅ間比の関係図
【図９】本発明の実施の形態２における記録装置の処理手順を示したフローチャート（１）
【図１０】本発明の実施の形態２における記録装置の処理手順を示したフローチャート（２）
【符号の説明】
【００６３】
１   カメラ部
２   ＣＯＤＥＣ部
３   ドライブ部
４   マイク
５   オーディオ入力処理回路
６   レンズユニット
７   撮像センサー（ＣＣＤ）
８   カメラ信号処理回路
９   カメラ部マイコン
１０   圧縮／伸張回路
１１   オーディオ出力回路
１２   スピーカー
１３   映像出力回路
１４   映像表示手段（ＬＣＤ）
１５   ＣＯＤＥＣ部マイコン
１６   メモリ（ＳＤＲＡＭ）
１７   メモリ（ＦＬＡＳＨ）
１８   ＵＳＢ  Ｉ／Ｆ回路
１９   操作スイッチ
２０   ＡＴＡＰＩ  Ｉ／Ｆ回路
２１   記録／再生回路
２２   ドライブ部マイコン
２３   メモリ（ＳＤＲＡＭ）
２４   メモリ（ＦＬＡＳＨ）
２５   温度センサー
２６   ピックアップ
２７   スピンドルモータ
２８   送りモータ
２９   アクチュエータドライバ
３０   ディスクメディア
３１   ＰＣ（パーソナルコンピュータ）
３２   温度Ｔｎから温度Ｔｎ＋１上昇するまでに記録を行った時間
３３   動作限界温度Ｔｍａｘから温度Ｔｍ下降までに要した記録停止時間ｔｍ
３４   温度Ｔｍから動作限界温度Ｔｍａｘ到達までに記録できる記録可能時間ｔｗ
３５   動作限界温度Ｔｍａｘから温度Ｔｍ＋１下降までに要した記録停止時間ｔｍ＋１
３６   温度Ｔｍ＋１から動作限界温度Ｔｍａｘ到達までに記録できる記録可能時間ｔｗ＋１
３７   温度上昇変化
３８   温度下降変化
３９   Ｗｒｉｔｅ  Ｉｄｌｅ時間
４０   Ｗｒｉｔｅ時間
４１   Ｗｒｉｔｅ停止時間
【図１】
2008305474.tif 000003
【図２】
2008305474.tif 000004
【図３】
2008305474.tif 000005
【図４】
2008305474.tif 000006
【図５】
2008305474.tif 000007
【図６】
2008305474.tif 000008
【図７】
2008305474.tif 000009
【図８】
2008305474.tif 000010
【図９】
2008305474.tif 000011
【図１０】
2008305474.tif 000012